(57)【要約】【課題】天井高が異なる２つの空間を間仕切る間仕切壁において、間仕切壁の除去を容易にする。【解決手段】第１の天井５を有する空間と、該第１の天井５より高い第２の天井６を有する空間と、を間仕切る間仕切壁構造において、前記第１の天井５に沿って設ける中間部梁部材２と、この中間部梁部材２の上部に支持され、前記第２の天井６の高さまで達する上部間仕切壁４と、前記中間部梁部材２の下部と床面Ｆとの間に支持される下部間仕切壁３と、を備える間仕切壁１とする。【選択図】図１
2006225872.tif 000002
【特許請求の範囲】
【請求項１】
第１の天井を有する空間と、該第１の天井より高い第２の天井を有する空間と、を間仕切る間仕切壁構造において、
前記第１の天井に沿って設ける中間部梁部材と、
この中間部梁部材の上部に支持され、前記第２の天井の高さまで達する上部間仕切壁と、
前記中間部梁部材の下部と床面との間に支持される下部間仕切壁と、を備えることを特徴とする間仕切壁構造。
【請求項２】
前記上部間仕切壁は、前記中間部梁部材の上部に配設される下部ランナーと、前記第２の天井の高さに配設される上部ランナーと、下端が下部ランナーに支持され、上端が上部ランナーに支持される複数のスタッドと、これらのスタッドに固定される面材とを備え、
前記下部ランナーは、上向き開口の溝型材により構成され、前記上部ランナーは下向き開口の溝型材により構成されていることを特徴とする請求項１に記載の間仕切壁構造。
【請求項３】
前記上部ランナーは、水平ランナーと、この水平ランナーの端部と前記中間部梁部材との間に傾斜して設けられる傾斜ランナーと、を備えていることを特徴とする請求項２に記載の間仕切壁構造。
【請求項４】
前記下部間仕切壁は、前記床面に配設される下部ランナーと、前記中間部梁部材の下部に配設される上部ランナーと、下部が下部ランナーに支持され、上端が上部ランナーに支持される複数のスタッドと、これらのスタッドに固定される面材とを備え、
前記下部ランナーは、上向き開口の溝型材により構成され、前記上部ランナーは下向き開口の溝型材により構成されていることを特徴とする請求項１〜３のいずれか一項に記載の間仕切壁構造。
【請求項５】
請求項１〜４のいずれか一項に記載の間仕切壁構造を施工する施工方法において、前記中間部梁部材及び前記第１の天井を施工する工程と、
前記第２の天井の高さまで達する上部間仕切壁を前記中間部梁部材の上部に施工する工程と、
前記第２の天井を前記上部間仕切壁に施工する工程と、
前記下部間仕切壁を前記中間部梁部材の下部と床面との間に施工する工程と、を備えることを特徴とする間仕切壁の施工方法。
【発明の詳細な説明】
【技術分野】
【０００１】
本発明は、天井高が異なる２つの空間を間仕切る間仕切壁構造及び間仕切壁の施工方法に関する。
【背景技術】
【０００２】
従来、住宅等の建物には内部空間を間仕切る間仕切壁が設けられている。この間仕切壁は、例えば、天井に設置された断面コ字状の上部ランナー及び床に設置された断面コ字状の下部ランナーにスタッドを複数設置し、これらのスタッドに壁面構成材を配置するものである（特許文献１参照）。
【特許文献１】特開平１０−１０２６４６号公報
【発明の開示】
【発明が解決しようとする課題】
【０００３】
ところで、上記特許文献１に開示されているような間仕切壁を、天井高が異なる２つの空間の間仕切に適用するには、間仕切壁と天井との納まりを壁勝ちとし、間仕切壁の軸組みを予め配設した後に天井をそれぞれ形成する構成が知られている。しかし、間仕切壁と天井との納まりを壁勝ちにすると、将来的に間仕切壁を取り払う必要が生じた場合に、天井を加工することなく間仕切壁を除去することが困難であるという問題があった。
【０００４】
本発明の課題は、天井高が異なる２つの空間を間仕切る間仕切壁において、間仕切壁の除去を容易にすることである。
【課題を解決するための手段】
【０００５】
以上の課題を解決するため、請求項１に記載の発明は、例えば図１に示すように、第１の天井５を有する空間と、該第１の天井５より高い第２の天井６を有する空間と、を間仕切る間仕切壁構造において、
前記第１の天井５に沿って設ける中間部梁部材２と、
この中間部梁部材２の上部に支持され、前記第２の天井６の高さまで達する上部間仕切壁４と、
前記中間部梁部材２の下部と床面Ｆとの間に支持される下部間仕切壁３と、を備えることを特徴としている。
なお、間仕切壁１は、軸組みに面材を固定する構成もしくは建築用壁パネルのどちらでもよい。
【０００６】
請求項１に記載の発明によれば、間仕切壁１は、第１の天井５に沿って設けた中間部梁部材２に支持され第２の天井６の高さまで達する上部間仕切壁４と、中間部梁部材２及び床面Ｆに支持される下部間仕切壁３と、を備えている。よって、間仕切壁１によって間仕切られた２つの空間を一続きにする際には下部間仕切壁３のみを撤去すればよく、中間部梁部材２及び上部間仕切壁４を撤去しなくてよいため、第１の天井５及び第２の天井６を加工する必要がない。従って、施工が容易になる。
【０００７】
請求項２に記載の発明は、例えば図１に示すように、請求項１に記載の間仕切壁構造において、前記上部間仕切壁４は、前記中間部梁部材２の上部に配設される下部ランナー（例えば、梁上面ランナー４ｄ）と、前記第２の天井６の高さに配設される上部ランナー４ａと、下端が下部ランナー（例えば、梁上面ランナー４ｄ）に支持され、上端が上部ランナー４ａに支持される複数のスタッド４ｅ，４ｆ，４ｇと、これらのスタッド４ｅ，４ｆ，４ｇに固定される面材（図示せず）とを備え、
前記梁上面ランナー４ｄは、上向き開口の溝型材により構成され、前記上部ランナー４ａは下向き開口の溝型材により構成されていることを特徴としている。
【０００８】
請求項２に記載の発明によれば、中間部梁部材２及び第２の天井６の高さに、溝型材である下部ランナー（例えば、梁上面ランナー４ｄ）及び上部ランナー４ａを配設し、これらに複数のスタッド４ｅ，４ｆ，４ｇを支持させ、これらのスタッド４ｅ，４ｆ，４ｇに面材を固定する。よって、間仕切壁１の上部を容易に形成することができる。
【０００９】
請求項３に記載の発明は、例えば図１に示すように、請求項２に記載の間仕切壁構造において、前記上部ランナー４ａは、水平ランナー４ｂと、この水平ランナー４ｂの端部と前記中間部梁部材２との間に傾斜して設けられる傾斜ランナー４ｃと、を備えていることを特徴としている。
【００１０】
請求項３に記載の発明によれば、上部ランナー４ａは、水平ランナー４ｂと、水平ランナー４ｂ及び中間部梁部材２の間に傾斜して設けられる傾斜ランナー４ｃと、を備えている。よって、第２の天井６が、高さの違う水平な２つの天井部と、それらの天井部を連続に繋ぐ傾斜部とから構成されていても、上部ランナー４ａを容易に設けることができる。従って、上部間仕切壁４を容易に形成することができる。
【００１１】
請求項４に記載の発明は、例えば図１に示すように、請求項１〜３のいずれか一項に記載の間仕切壁構造において、前記下部間仕切壁３は、前記床面Ｆに配設される下部ランナー３ｂと、前記中間部梁部材２の下部に配設される上部ランナー（例えば、梁下面ランナー３ａ）と、下部が下部ランナー３ｂに支持され、上端が上部ランナー（例えば、梁下面ランナー３ａ）に支持される複数のスタッド３ｃと、これらのスタッド３ｃに固定される面材（図示せず）とを備え、
前記下部ランナー３ｂは、上向き開口の溝型材により構成され、前記上部ランナー（例えば、梁下面ランナー３ａ）は下向き開口の溝型材により構成されていることを特徴としている。
【００１２】
請求項４に記載の発明によれば、床面Ｆ及び中間部梁部材２に、溝型材である下部ランナー３ｂ及び上部ランナー（例えば、梁下面ランナー３ａ）を配設し、これらに複数のスタッド３ｃを支持させ、これらのスタッド３ｃに面材を固定する。よって、間仕切壁１の下部を容易に形成することができる。
【００１３】
請求項５に記載の発明は、例えば図１、２−１及び２−２に示すように、請求項１〜４のいずれか一項に記載の間仕切壁構造を施工する施工方法において、前記中間部梁部材２及び前記第１の天井５を施工する工程と、
前記第２の天井６の高さまで達する上部間仕切壁４を前記中間部梁部材２の上部に施工する工程と、
前記第２の天井６を前記上部間仕切壁４に施工する工程と、
前記下部間仕切壁３を前記中間部梁部材２の下部と床面Ｆとの間に施工する工程と、を備えることを特徴としている。
【００１４】
請求項５に記載の発明によれば、請求項１と同様の効果が得られる。
【発明の効果】
【００１５】
本発明によれば、間仕切壁１によって間仕切られた２つの空間を一続きにする際に、第１の天井５及び第２の天井６を加工する必要がない。従って、施工が容易になる。
【発明を実施するための最良の形態】
【００１６】
以下、図を参照して本発明に係る間仕切壁構造の実施形態について詳細に説明する。
図１は、建築用壁パネルからなる壁Ｗ１、壁Ｗ２（図２−１（ａ）参照）、壁Ｗ３（図２−１（ａ）参照）によって形成された建物の内部空間を、第１の天井５を有する空間と、第２の天井６を有する空間とに間仕切る間仕切壁構造を示している。また、図２−１及び２−２は、間仕切壁１の施工手順を示しており、図２−１及び２−２において施工前の第１の天井５、第２の天井６及び間仕切壁１は、破線で示している。
【００１７】
図１に示すように、第１の天井５は床面Ｆに平行に設けられており、第２の天井６は、第１の天井５と同じ高さの下部天井部６ｂと、第１の天井５よりも高くかつ床面Ｆに平行な上部天井部６ａと、下部天井部６ｂ及び上部天井部６ａを繋ぐ勾配天井部６ｃと、から構成されている。
【００１８】
間仕切壁１は、第１の天井５に沿って設けた中間部梁部材２と、この中間部梁部材２の上部に支持され、第２の天井６の上部天井部６ａ及び勾配天井部６ｃの高さまで達する上部間仕切壁４と、中間部梁部材２の下部と床面Ｆとの間に支持された下部間仕切壁３と、を備えている。
【００１９】
中間部梁部材２は、第１の天井５及び第２の天井６の下部天井部６ｂに沿って、壁Ｗ１と壁Ｗ１に対向する壁Ｗ３とに支持されている。また、中間部梁部材２は、図示しない天井吊梁に上端を固定された吊木７（図２−１（ｂ）参照）によって吊り補強されている。
【００２０】
下部間仕切壁３は、床面Ｆに配設された下部ランナー３ｂと、中間部梁部材２の下面に配設された梁下面ランナー３ａと、これら下部ランナー３ｂ及び梁下面ランナー３ａに支持された複数のスタッド３ｃと、これらのスタッド３ｃの両面に固定された面材（図示せず）と、を備えている。また、下部ランナー３ｂ及び梁下面ランナー３ａは、ともに薄肉鋼板からなる溝型材であり、下部ランナー３ｂは上方に開口し、梁下面ランナー３ａは下方に開口している。
【００２１】
上部間仕切壁４は、中間部梁部材２の上面に配設された梁上面ランナー４ｄと、第２の天井６の上部天井部６ａ及び勾配天井部６ｃに沿って配設された水平ランナー４ｃ及び傾斜ランナー４ｄを備える上部ランナー４ａと、これら梁上面ランナー４ｄ及び上部ランナー４ａに支持されたスタッド４ｅ，４ｆ，４ｇと、これらのスタッド４ｅ，４ｆ，４ｇに固定された面材（図示せず）と、を備えている。また、梁上面ランナー４ｄ及び上部ランナー４ａは、ともに薄肉鋼板からなる溝型材であり、梁上面ランナー４ｄは上方に開口し、上部ランナー４ａは下方に開口している。この上部ランナー４ａは、その一端部にスタッド４ｇの上端部が挿入され、他端部に中間部梁部材２が挿入された状態で設けられている。
【００２２】
次に、以上のように構成される間仕切壁構造の施工方法について説明する。
まず、図２−１（ａ）及び（ｂ）に示すように、壁Ｗ１（図１参照）と壁Ｗ１に対向する壁Ｗ３とに中間部梁部材２を架設し、図示しない天井吊梁に上端を固定した吊木７によって中間部梁部材２を吊り補強する。その後、図２−１（ｃ）に示すように、壁Ｗ１（図１参照）、壁Ｗ２、壁Ｗ３及び中間部梁部材２に、野縁等の第１の天井の軸組み５ａを固定する。
【００２３】
次に、図２−１（ｄ）に示すように、中間部梁部材２の上面に、その開口部を上に向けた状態で梁上面ランナー４ｄをビス等の止着材によって固定する。なお、梁上面ランナー４ｄは、上部間仕切壁４（図１参照）の位置に合わせて設置する。
【００２４】
次に、図２−２（ｅ）に示すように、所定長さのスタッド４ｇの下端部を梁上面ランナー４ｄの開口部に挿入し、スタッド４ｇの側面を壁Ｗ３に当接させた状態でビス等の止着材によってスタッド４ｇを壁Ｗ３に固定する。そして、図２−２（ｆ）に示すように、上部ランナー４ａを、その開口部を下に向けた状態で第２の天井６の上部天井部６ａ及び勾配天井部６ｃに沿って設置する。なお、スタッド４ｇの上端が上部ランナー４ａの一端部に挿入され、上部ランナー４ａの他端部には中間部梁部材２が挿入されるようにする。その後、図２−２（ｇ）に示すように、スタッド４ｅ，４ｆを、その上端を上部ランナー４ａの開口部に挿入し、その下端を梁上面ランナー４ｄの開口部に挿入して等間隔に立設支持させる。
【００２５】
次に、中間部梁部材２及び上部ランナー４ａに沿って、第２の天井６の下部天井部６ｂ、勾配天井部６ｃ、上部天井部６ａの軸組みをそれぞれ固定する。その後、図２−２（ｈ）に示すように、中間部梁部材２の下面に、開口部を下に向けた状態で梁下面ランナー３ａをビス等の止着材によって固定する。同様に、床面Ｆに開口部を上に向けた状態で下部ランナー３ｂをビス等の止着材によって固定する。そして、所定長さの９本のスタッド３ｃを、その上端を梁下面ランナー３ａに挿入し、その下端を下部ランナー３ｂに挿入して等間隔に立設支持させる。
【００２６】
最後に、第１の天井５及び第２の天井６に天井仕上げ材（図示せず）をそれぞれ取り付けた後、間仕切壁１の面材（図示せず）を取り付ける。
【００２７】
以上の実施形態においては、間仕切壁１は、第１の天井５に沿って設けた中間部梁部材２に支持され第２の天井６の高さまで達する上部間仕切壁４と、中間部梁部材２及び床面Ｆに支持される下部間仕切壁３と、を備えている。よって、間仕切壁１によって間仕切られた２つの空間を一続きにする際には下部間仕切壁３のみを撤去すればよく、中間部梁部材２及び上部間仕切壁４を撤去しなくてよいため、第１の天井５及び第２の天井６を加工する必要がない。従って、施工が容易になる。
【００２８】
また、中間部梁部材２及び第２の天井６の高さに、溝型材である梁上面ランナー４ｄ及び上部ランナー４ａを配設し、これらに複数のスタッド４ｅ，４ｆ，４ｇを支持させ、これらのスタッド４ｅ，４ｆ，４ｇに面材を固定する。よって、間仕切壁１の上部を容易に形成することができる。同様に、床面Ｆ及び中間部梁部材２に、溝型材である下部ランナー３ｂ及び梁下面ランナー３ａを配設し、これらに複数のスタッド３ｃを支持させ、これらのスタッド３ｃに面材を固定する。よって、間仕切壁１の下部を容易に形成することができる。
【００２９】
さらに、上部ランナー４ａは、水平ランナー４ｂと、水平ランナー４ｂ及び中間部梁部材２の間に傾斜して設けられる傾斜ランナー４ｃと、を備えている。よって、上部天井部６ａ、株天井部６ｂ及び勾配天井部６ｃを備える第２の天井６に、上部ランナー４ａを容易に設けることができる。従って、上部間仕切壁４を容易に形成することができる。
【００３０】
なお、以上の実施形態においては、間仕切壁１を軸組み構造としたが、本発明はこれに限定されるものではなく、建築用壁パネルを用いても良い。また、第１の天井５及び第２の天井６の天井仕上げ材は、枠組みを施工した際に固定してもよい。さらに、下部間仕切壁３の面材についても同様で、スタッド３ｃを立設支持させた際に固定してもよい。
【図面の簡単な説明】
【００３１】
【図１】本発明を適用した間仕切壁構造の一実施形態の構成を示す斜視図である。
【図２−１】本発明に係る間仕切壁の施工手順を示す斜視図で、（ａ）が施工前の斜視図、（ｂ）が中間部梁部材を設置した斜視図、（ｃ）が第１の天井の軸組みを設置した斜視図、（ｄ）が上部間仕切壁の下部ランナーを設置した斜視図である。
【図２−２】本発明に係る間仕切壁の施工手順を示す斜視図で、（ｅ）が壁スタッドを設置した斜視図、（ｆ）が上部間仕切壁の上部ランナーを設置した斜視図、（ｇ）が上部間仕切壁のスタッドを設置した斜視図、（ｈ）が下部間仕切壁の上部ランナー及び下部ランナー並びにスタッドを設置した斜視図である。
【符号の説明】
【００３２】
１  間仕切壁
２  中間部梁部材
３  下部間仕切壁
３ａ  梁下面ランナー
３ｂ  下部ランナー
３ｃ  スタッド
４  上部間仕切壁
４ａ  上部ランナー
４ｂ  水平ランナー
４ｃ  傾斜ランナー
４ｄ  梁上面ランナー
４ｅ，４ｆ，４ｇ  スタッド
５  第１の天井
６  第２の天井
Ｆ  床面
【図１】
2006225872.tif 000003
【図２−１】
2006225872.tif 000004
【図２−２】
2006225872.tif 000005